(57)【要約】【課題】本発明は、ロイコ層によりリライト可能な非接触ＩＣ乗車券用カードに対して印刷内容の残像の発生を良好に抑制することを目的とする。【解決手段】ロイコ層によりリライト可能な印刷領域を有する非接触ＩＣ乗車券用カードを発行するためのカード発行装置は、カードを搬送するための搬送路と、搬送路上に配置され、新規なカードである新規カードの印刷領域の全体を発色させるための発色処理部と、搬送路上に配置され、発色された印刷領域の全体を消色させるための消色処理部と、搬送路の端部に配置され、消色処理部により消色された印刷領域を有するカードを排出するための排出部と、を備える。【選択図】図２
2010191918.tif 000002
【特許請求の範囲】
【請求項１】
ロイコ層によりリライト可能な印刷領域を有する非接触ＩＣ乗車券用のカードを発行するためのカード発行装置であって、
前記カードを搬送するための搬送路と、
前記搬送路上に配置され、新規な前記カードである新規カードの前記印刷領域の全体を発色させるための発色処理部と、
前記搬送路上に配置され、発色された前記印刷領域の全体を消色させるための消色処理部と、
前記搬送路の端部に配置され、前記消色処理部により消色された前記印刷領域を有する前記カードを排出するための排出部と、を備えるカード発行装置。
【請求項２】
請求項１に記載のカード発行装置はさらに、
前記消色処理部により消色された前記印刷領域に印刷をおこなうための印刷部を備えるカード発行装置。
【請求項３】
請求項１または請求項２に記載のカード発行装置はさらに、
前記新規カードを格納するための格納部を備え、
前記搬送路は、前記格納部と前記排出部との間に配置されているカード発行装置。
【請求項４】
請求項１ないし請求項３のいずれかに記載のカード発行装置はさらに、
前記カードに含まれるカード情報の読み取りと書き込みをおこなうカード情報処理部を備えるカード発行装置。
【請求項５】
ロイコ層によりリライト可能な印刷領域を有する非接触ＩＣ乗車券用のカードを発行するためのカード発行方法であって、
新規な前記カードである新規カードの前記印刷領域の全体を発色させる第１の工程と、
発色された前記印刷領域の全体を消色させる第２の工程と、
前記第２の工程により消色された前記印刷領域を有する前記カードを排出する第３の工程と、を備えるカード発行方法。
【発明の詳細な説明】
【技術分野】
【０００１】
本発明は、ロイコ層によりリライト可能な印刷領域を有するカードを発行するためのカード発行装置およびカード発行方法に関する。
【背景技術】
【０００２】
従来から、非接触ＩＣ乗車券等のカードにおいて、カードの表面にロイコ層を設けてリライト可能な印刷をおこなう技術が知られている。しかし、ロイコ層の発色による印刷は、印刷内容の消去処理をおこなっても、印刷内容の残像（消し跡）が生じ、カードの視認性の低下や、情報の漏洩等の問題が生じる虞があった。この問題を解決するために、印刷内容の消去が必要な部分に特殊な記号を印刷することにより、印刷内容の読み取りを困難にする技術が知られている（特許文献１）。また、残像の発生を抑制するために、印刷内容の消去処理をおこなう前に、加熱処理をおこなう技術が知られている（特許文献２）。
【先行技術文献】
【特許文献】
【０００３】
【特許文献１】特開平９−１３１９８９号公報
【特許文献２】特開平５−１９７８２２号公報
【０００４】
しかしながら、印刷内容を消去した部分に対して、新たに他の内容を印刷する場合には、特殊記号を印刷することができない問題があった。また、印刷内容の消去処理をおこなう前の加熱処理は、消去処理の都度実施する必要があるため、処理時間や処理費用が増加する問題があった。このように、従来の技術においては、印刷内容の残像の発生を抑制する際に不具合が生じる虞があり、印刷内容の残像の発生を抑制する技術については改善の余地があった。なお、これらの問題は、券売機などカードの２次発行をおこなうカード発行装置に限定されず、事前フォーマットなどカードの１次発行をおこなうカード発行装置においても同様である。
【発明の概要】
【発明が解決しようとする課題】
【０００５】
本発明は、上記した従来の課題の少なくとも一部を解決するためになされた発明であり、ロイコ層によりリライト可能なカードに対して印刷内容の残像の発生を抑制することを目的とする。
【課題を解決するための手段】
【０００６】
上記課題の少なくとも一部を解決するための本願発明は以下の態様を採る。
【０００７】
第１の態様は、ロイコ層によりリライト可能な印刷領域を有する非接触ＩＣ乗車券用のカードを発行するためのカード発行装置を提供する。本発明の第１の態様に係るカード発行装置は、前記カードを搬送するための搬送路と、前記搬送路上に配置され、新規な前記カードである新規カードの前記印刷領域の全体を発色させるための発色処理部と、前記搬送路上に配置され、発色された前記印刷領域の全体を消色させるための消色処理部と、前記搬送路の端部に配置され、前記消色処理部により消色された前記印刷領域を有する前記カードを排出するための排出部と、を備える。
【０００８】
第１の態様に係るカード発行装置によれば、印刷内容の残像の発生を抑制することができるカードを発行することができるため、発行されたカードを用いることにより、印刷内容の残像の発生を抑制することができる。
【０００９】
第１の態様に係るカード発行装置はさらに、前記消色処理部により消色された前記印刷領域に印刷をおこなうための印刷部を備えていてもよい。この場合、カード発行装置は、印刷部を備えることにより、印刷内容の残像の発生を抑制することができるカードに印刷処理をおこなうことができる。
【００１０】
第１の態様に係るカード発行装置はさらに、前記新規カードを格納するための格納部を備え、前記搬送路は、前記格納部と前記排出部との間に配置されていてもよい。この場合、カード発行装置は格納部を備えることにより、印刷内容の残像の発生を抑制することができるカードを良好に発行することができる。
【００１１】
第１の態様に係るカード発行装置はさらに、前記カードに含まれるカード情報の読み取りと書き込みをおこなうカード情報処理部を備えていてもよい。この場合、カード発行装置はカード情報処理部を備えることにより、印刷内容の残像の発生を抑制することができるカードに対して、カード情報の読み取りと書き込みをおこなうことができる。
【００１２】
第１の態様に係るカード発行装置において、前記カードは乗車券であってもよい。この場合、印刷内容の残像の発生を抑制することができる乗車券を発行することができる。
【００１３】
なお、本発明は、種々の態様で実現することが可能であり、例えば、カード発行方法、カード製造方法および装置、として実現することができる。また、これらの方法または装置の機能を実現するためのコンピュータープログラム、そのコンピュータープログラムを記録した記録媒体、そのコンピュータープログラムを含み搬送波内に具現化されたデータ信号、等の態様で実現することができる。
【図面の簡単な説明】
【００１４】
【図１】本発明の第１の実施例に係るカード発行システムの全体構成を例示した説明図である。
【図２】第１の実施例に係るカード発行装置の内部構成を例示した説明図である。
【図３】本実施例において用いられるカードを例示した説明図である。
【図４】カード発行装置の制御部を説明するための説明図である。
【図５】カード新規発行処理を説明するためのフローチャートである。
【図６】印刷領域の全体を発色させた状態を例示した説明図である。
【図７】印刷領域の全体に対して消色処理をおこなった状態を例示した説明図である。
【図８】印刷領域に印刷をおこなった状態を例示した説明図である。
【図９】カード更新処理を説明するためのフローチャートである。
【図１０】カード更新処理により更新されたカードを例示した説明図である。
【図１１】カード新規発行処理により発行されていないカードを例示した説明図である。
【図１２】比較例において印刷内容を消去した状態を例示した説明図である。
【図１３】比較例において印刷内容を印刷した状態を例示した説明図である。
【図１４】第２の実施例に係るカード発行装置の内部構成を例示した説明図である。
【図１５】第２の実施例に係るカード新規発行処理を説明するためのフローチャートである。
【図１６】本発明に係る自動券売機の外観を例示した説明である。
【発明を実施するための形態】
【００１５】
以下、本発明に係るカード発行装置およびカード発行システムについて、図面を参照しつつ、実施例に基づいて説明する。
【００１６】
Ａ．第１の実施例
Ａ１．全体構成：
図１は、本発明の第１の実施例に係るカード発行システムの全体構成を例示した説明図である。図２は、第１の実施例に係るカード発行装置の内部構成を例示した説明図である。本発明に係るカード発行システム１０は、駅などに配置され、係員により操作される係員操作型定期券発行端末である。本実施例では、カード発行システム１０は、非接触ＩＣカードの定期乗車券（以後、単に「定期券」とも呼ぶ）を発行するシステムとして説明する。カード発行システム１０は、カード発行装置１００と、コンピュータ２００と、を備えている。カード発行装置１００とコンピュータ２００とは、専用回線３００を介して互いに接続され情報のやりとりをおこなう。
【００１７】
カード発行装置１００は、後述するカード新規発行処理や、カード更新処理をおこなう。図２に示すように、カード発行装置１００は、カード挿入部１１０と、カード排出部１２０と、格納部１３０と、搬送部１４０と、発色用ヘッド部１５１と、消色用ヘッド部１５２と、印刷用ヘッド部１６１と、消去用ヘッド部１６２と、カード情報処理部１６３と、制御部１７０と、回線接続部１８０と、を備えている。
【００１８】
カード挿入部１１０は、一部がカード発行装置１００の外部と接続するように配置され、ユーザからカードを取得する。カード排出部１２０は、カード挿入部１１０と同様に、一部がカード発行装置１００の外部と接続するように配置され、カード発行装置１００の内部のカードを外部に排出する。本実施例では、カード発行装置１００は、カード挿入部１１０とカード排出部１２０とをそれぞれ備えているが、カードの挿入と排出の両方をおこなう入出部を１つ備えた構成であってもよい。
【００１９】
格納部１３０は、カード新規発行処理をおこなうための新規カードを格納している。ここで、新規カードについて簡単に説明する。図３は、本実施例において用いられるカードを例示した説明図である。図３（ａ）は、カードの上面を例示した説明図である。図３（ａ）に示すように、本実施例で用いられるカード４００は、上面にロイコ層を用いたリライト可能な印刷領域ｐａを備えている。印刷領域ｐａには、ロイコ層の発色により文字や図形など任意の画像を印刷することができる。カード４００の上面における印刷領域ｐａの範囲については特に限定はなく、図３（ａ）に示すように、カード４００の上面の一部の領域であってもよいし、上面全体であってもよい。また、後述する印刷用ヘッド部１６１により印刷可能な範囲と対応させてもよい。また、印刷領域ｐａは、カード４００の上面のみに限定されず、裏面に形成されていてもよい。
【００２０】
図３（ｂ）は、カード４００の断面構成を例示した説明図である。カード４００は、ＩＣ回路を内蔵した基板４１０と、基板４１０の上面に形成されたロイコ層４２０と、ロイコ層４２０の上面に形成された保護層４３０とを備える。本実施例におけるロイコ層４２０は、発色温度Ｔ１となると発色し、消色温度Ｔ２となると消色する。発色温度Ｔ１は、例えば１１０℃〜１８０℃であり、消色温度Ｔ２は、例えば７０℃〜１００℃である。本実施例において、新規カードとは、上記したカード４００のうち新規なものをいう。すなわち、新規カードとは、まだ印刷領域ｐａに印刷がされていないカード４００である。以後、まだ印刷処理がなされていないカード４００を「新規カード４００ｎ」と呼ぶ。格納部１３０は、新規カード４００ｎを積層して格納している。また、格納部１３０は、一部が後述する搬送部１４０に接続され、搬送部１４０により、格納する新規カード４００ｎが１枚ずつ取り出される。格納部１３０から搬送部１４０への新規カード４００ｎの受け渡しは、搬送部１４０による取り出しによりおこなわれてもよいし、格納部１３０が排出する態様であってもよい。
【００２１】
搬送部１４０は、カード挿入部１１０と、カード排出部１２０と、格納部１３０との間に配置されるベルトによる搬送路と、カード４００を搬送路上で移動させるための図示しない複数のローラーや、複数のローラーを駆動する駆動モーターなどを備える。搬送路の各分岐部には、例えば、電磁ソレノイドによって駆動し、カード４００の搬送先を切り換えるための図示しないゲートが、それぞれ設置されている。また、搬送路上には、カード４００の位置を光学的に検知する図示しないカード検知器が配置されている。
【００２２】
発色用ヘッド部１５１は、サーマルヘッドにより構成され、搬送路上に配置されている。発色用ヘッド部１５１は、印刷領域ｐａの全体が発色温度Ｔ１となるように加熱をおこなう。消色用ヘッド部１５２は、サーマルヘッドにより構成され、搬送路上に配置されている。消色用ヘッド部１５２は、印刷領域ｐａの全体が消色温度Ｔ２となるように加熱をおこなう。発色用ヘッド部１５１は、特許請求の範囲における「発色処理部」に該当する。また、消色用ヘッド部１５２は、特許請求の範囲における「消色処理部」に該当する。
【００２３】
印刷用ヘッド部１６１は、サーマルヘッドにより構成され、搬送路上に配置されている。印刷用ヘッド部１６１は、印刷領域ｐａの特定の部分が発色温度Ｔ１となるように加熱をおこなうことにより、印刷領域ｐａに文字や図形などの任意の画像を印刷する。本実施例では、印刷用ヘッド部１６１は、印刷領域ｐａに、乗車区間や、有効期限、金額、氏名等の印刷をおこなう。以後、本実施例において、印刷領域ｐａに印刷される任意の画像を単に「印刷内容」とも呼ぶ。印刷用ヘッド部１６１は、特許請求の範囲における「印刷部」に該当する。
【００２４】
消去用ヘッド部１６２は、サーマルヘッドにより構成され、搬送路上に配置されている。消去用ヘッド部１６２は、印刷領域ｐａの画像が印刷された部分が消色温度Ｔ２となるように加熱をおこなうことにより、印刷領域ｐａに印刷されている印刷内容を消去する。
【００２５】
カード情報処理部１６３は、カード４００の内部や裏面等に記録されている不可視情報（以後「カード情報」とも呼ぶ）の読み取りと書き込みをおこなう。本実施例では、カード情報とは、ＩＣチップのメモリに格納された、乗車区間や、有効期限等に関する情報である。カード情報処理部１６３は、カード４００が非接触ＩＣカードである場合には、ＩＣカードリーダライタである。
【００２６】
図４は、カード発行装置の制御部を説明するための説明図である。図４に示すように、制御部１７０は、ＣＰＵ１７１やメモリ１７２を備え、バス１７３を介して搬送部１４０と、発色用ヘッド部１５１と、消色用ヘッド部１５２と、印刷用ヘッド部１６１と、消去用ヘッド部１６２と、カード情報処理部１６３と、互いに接続されている。制御部１７０は、カード発行装置１００の全体の動作を制御するほか、種々のデータについての処理を行う。制御部１７０は、ＣＰＵ１７１がメモリ１７２に格納されているプログラムを処理することにより、後述するカード新規発行処理や、カード更新処理を実行する。本実施例では、制御部１７０は、ＣＰＵ１７１がプログラムを処理することにより実現されるソフトウエア的な態様で示しているが、集積回路等により実現されるハードウエア的な態様であってもよい。
【００２７】
回線接続部１８０は、専用回線３００を介してコンピュータ２００に接続され、カード発行装置１００とコンピュータ２００との間で情報のやりとりを可能にしている。
【００２８】
コンピュータ２００は、図示しないＣＰＵやメモリを備え、ユーザからの入力に基づいて、カード発行装置１００に対し、カード新規発行処理や、カード更新処理を実行させるためのカード新規発行命令やカード更新命令を出力する。本実施例では、カード新規発行命令やカード更新命令には、ユーザにより設定された乗車区間や有効期限等の設定情報が含まれている。
【００２９】
Ａ２．カード新規発行処理：
図５は、カード新規発行処理を説明するためのフローチャートである。はじめに、カード発行装置１００の制御部１７０は、新規カード４００ｎを発色用ヘッド部１５１の下方に搬送する（ステップＳ１１０）。具体的には、制御部１７０は、専用回線３００を介してコンピュータ２００からカード新規発行命令を受信すると、搬送部１４０を制御して、格納部１３０から新規カード４００ｎを１枚取り出して、発色用ヘッド部１５１の下方に搬送する。新規カード４００ｎの搬送は、搬送路上のローラーを駆動モーターにより駆動させておこなう。また、カード検知器により搬送路上における新規カード４００ｎの位置を検知することにより、発色用ヘッド部１５１の下方で新規カード４００ｎの移動を停止させる。
【００３０】
制御部１７０は、印刷領域ｐａの全体の発色処理をおこなう（ステップＳ１２０）。具体的には、制御部１７０は、発色用ヘッド部１５１を制御して、新規カード４００ｎの印刷領域ｐａの全体が発色温度Ｔ１となるように加熱する。図６は、印刷領域の全体を発色させた状態を例示した説明図である。図６に示すように、新規カード４００ｎの印刷領域ｐａは、発色用ヘッド部１５１によって発色温度Ｔ１に加熱されることにより、全体が発色する。すなわち、印刷領域ｐａ全体に対して印刷処理が実施された状態となる。
【００３１】
制御部１７０は、カード４００を消色用ヘッド部１５２の下方に搬送する（ステップＳ１３０）。具体的には、制御部１７０は、搬送部１４０を制御して、発色用ヘッド部１５１により発色処理されたカード４００を消色用ヘッド部１５２の下方に搬送する。カード４００の搬送は、発色用ヘッド部１５１への移動と同様に、搬送路上のローラーによりおこなわれ、また、カード検知器により搬送されるカード４００の位置が特定される。
【００３２】
制御部１７０は、印刷領域ｐａの全体の消色処理をおこなう（ステップＳ１４０）。具体的には、制御部１７０は、消色用ヘッド部１５２を制御して、カード４００の発色処理された印刷領域ｐａの全体が消色温度Ｔ２となるように加熱する。図７は、印刷領域の全体に対して消色処理をおこなった状態を例示した説明図である。図７に示すように、新規カード４００ｎの印刷領域ｐａは、消色用ヘッド部１５２によって消色温度Ｔ２に加熱されることにより、印刷領域ｐａの全体に初期状態と異なる発色跡ｃｔが形成される。
【００３３】
制御部１７０は、カード４００をカード情報処理部１６３の下方に搬送する（ステップＳ１５０）。具体的には、制御部１７０は、搬送部１４０を制御して、消色用ヘッド部１５２により消色処理されたカード４００をカード情報処理部１６３の下方に搬送する。カード４００の搬送や位置の特定は、発色用ヘッド部１５１への移動や消色用ヘッド部１５２への移動と同様におこなわれる。
【００３４】
制御部１７０は、カード情報の読み取りと書き込みをおこなう（ステップＳ１６０）。具体的には、制御部１７０は、カード情報処理部１６３を制御して、カード４００のＩＣチップに格納されているカード情報を読み取る。制御部１７０は、読み取ったカード情報から、例えば、カードの種別や状態などについて判別をおこなう。また、制御部１７０は、カード情報処理部１６３を制御して、カード新規発行命令に含まれる乗車区間や有効期限等の設定情報に基づいて、カード４００に設定情報等の書き込みをおこなう。
【００３５】
制御部１７０は、カード４００を印刷用ヘッド部１６１の下方に搬送する（ステップＳ１７０）。具体的には、制御部１７０は、搬送部１４０を制御して、カード情報処理部１６３により設定情報等が書き込まれたカード４００を印刷用ヘッド部１６１の下方に搬送する。カード４００の搬送や位置の特定は、発色用ヘッド部１５１への移動や消色用ヘッド部１５２への移動と同様におこなわれる。
【００３６】
制御部１７０は、印刷領域ｐａに印刷処理をおこなう（ステップＳ１８０）。図８は、印刷領域に印刷をおこなった状態を例示した説明図である。図８に示すように、制御部１７０は、印刷用ヘッド部１６１を制御することにより、カード発行命令に含まれる乗車区間や有効期限等の設定情報を発色跡ｃｔが形成されている印刷領域ｐａに印刷する。
【００３７】
制御部１７０は、カード４００をカード排出部１２０から排出する（ステップＳ１９０）。具体的には、制御部１７０は、搬送部１４０を制御することにより、印刷用ヘッド部１６１により印刷処理がおこなわれたカード４００をカード排出部１２０に搬送する。以上によりカード新規発行処理は終了する。
【００３８】
Ａ３．カード更新処理：
図９は、カード更新処理を説明するためのフローチャートである。カード更新処理は、既に発行されたカードに対してカード情報や印刷内容の変更をおこなうための処理、すなわち、カードの書き換えをおこなうための処理である。ここでは、本実施例に係るカード新規発行処理により発行されたカード４００を用いたカード更新処理について説明する。本実施例に係るカード新規発行処理により発行されていないカード４００に対するカード更新処理との差異について後に「比較例」として説明する。
【００３９】
まず、制御部１７０は、カード挿入部１１０からカード４００を取得する（ステップＳ２１０）。取得したカード４００には、図８に示すように、発色跡ｃｔが形成されている印刷領域ｐａに乗車区間や有効期限等の設定情報が印刷されている。制御部１７０は、カード挿入部１１０からカード４００を取得すると（ステップＳ２１０：ＹＥＳ）、カード新規発行処理と同様に、カード４００をカード情報処理部１６３の下方に搬送し（ステップＳ１５０）、カード情報の読み取りと書き込みをおこなう（ステップＳ１６０）。
【００４０】
制御部１７０は、カード４００を消去用ヘッド部１６２の下方に搬送する（ステップＳ２２０）。具体的には、制御部１７０は、搬送部１４０を制御して、カード情報処理部１６３により設定情報等が書き込まれたカード４００を消去用ヘッド部１６２の下方に搬送する。カード４００の搬送や位置の特定は、カード新規発行処理と同様におこなわれる。
【００４１】
制御部１７０は、印刷領域ｐａの印刷内容を消去する（ステップＳ２３０）。具体的には、制御部１７０は、消去用ヘッド部１６２を制御して、カード４００の印刷領域ｐａに印刷された印刷内容を消去する。消去用ヘッド部１６２により印刷内容が消去されると、消去された領域は、消色用ヘッド部１５２による消色処理が実施された場合と同様に発色跡ｃｔが形成される。本実施例に係るカード新規発行処理により発行されたカード４００は、既に印刷領域ｐａ全体に発色跡ｃｔが形成されているため、印刷内容の消去により発色跡ｃｔが形成されても、それ以外の領域と同色となり区別がつかない。すなわち、印刷内容の消去をおこなった後においても、図７に示すように、印刷領域ｐａ全体に発色跡ｃｔが形成された状態となる。
【００４２】
制御部１７０は、消去用ヘッド部１６２により印刷内容の消去をおこなった後、カード新規発行処理と同様に、カード４００を印刷用ヘッド部１６１の下方に搬送して（ステップＳ１７０）、印刷領域ｐａに印刷処理をおこない（ステップＳ１８０）、印刷処理後、カード４００をカード排出部１２０から排出する（ステップＳ１９０）。
【００４３】
図１０は、カード更新処理により更新されたカードを例示した説明図である。カード新規発行処理により発行されたカード４００を用いてカード更新処理をおこなった場合には、図１０に示すように、全体に発色跡ｃｔが形成された印刷領域ｐａに印刷内容を印刷することができる。よって、図８に示す、カード新規発行処理により発行されたカード４００と同程度の印刷内容の鮮明さを保持することができる。以上によりカード更新処理は終了する。
【００４４】
Ａ４．比較例：
比較例として、カード新規発行処理により発行されていないカード４００に対してカード更新処理を実施した場合のカード４００の状態について説明する。図１１は、カード新規発行処理により発行されていないカードを例示した説明図である。図１１に示すように、カード新規発行処理により発行されていないカード４００は、印刷領域ｐａに発色跡ｃｔが形成されておらず、印刷領域ｐａの一部に、乗車区間や有効期限等の設定情報が印刷されている。
【００４５】
図１２は、比較例において印刷内容を消去した状態を例示した説明図である。図１２に示すように、消去用ヘッド部１６２により印刷内容が消去されると、消去された領域には、発色跡ｃｔが形成される。カード新規発行処理により発行されていないカード４００は、予め印刷領域ｐａに発色跡ｃｔが形成されていないため、印刷内容の消去により発色跡ｃｔが形成されると、それ以外の領域との色の差異により、印刷内容の残像ｒｉが生じる。
【００４６】
図１３は、比較例において印刷内容を印刷した状態を例示した説明図である。図１３に示すように、印刷内容の残像ｒｉが生じているカード４００に対して、印刷用ヘッド部１６１による印刷をおこなうと、残像ｒｉが生じている領域を一部含んだ領域に印刷内容が記載されるため、残像ｒｉと新しい印刷内容とが一部重なった状態となる。
【００４７】
以上、第１の実施例に係るカード発行装置１００によれば、印刷内容の残像ｒｉの発生を抑制することができるカードを発行することができる。具体的には、カード発行装置１００により発行されるカード４００は、カード新規発行処理のステップＳ１２０において、印刷領域ｐａの全体に発色処理がなされ、ステップＳ１４０において、印刷領域ｐａの全体に消色処理がなされているため、全体に発色跡ｃｔが形成された印刷領域ｐａを備えている。そのため、カード更新処理において、印刷領域ｐａの印刷内容を消去した際に、消去された領域と、それ以外の領域との差異がつかないため、印刷内容の残像ｒｉの発生を抑制することができる。すなわち、本発明に係るカード発行装置１００は、カード４００の印刷領域ｐａに一度前処理をおこなうことにより、その後、印刷内容の残像ｒｉの発生を抑制するための特別な処理をおこなうことなく、印刷内容の残像ｒｉの発生を抑制することができる。
【００４８】
図１１に示すような本発明に係るカード新規発行処理により発行されていないカードを用いてカード更新処理をおこなった場合には、印刷内容の消去がなされた領域と、それ以外の領域との色の差異により、印刷内容の残像ｒｉが生じることがあった。この残像ｒｉを一部含んだ領域に新たに印刷が実施されることで、残像ｒｉと新しい印刷内容とが重なり、印刷内容が不鮮明となることから、視認性が低下したり、残像ｒｉから情報の漏洩が生じる虞があった。本発明に係るカード新規発行処理により発行されたカードを用いてカード更新処理をおこなった場合には、印刷内容を消去した際に残像ｒｉの発生が抑制されるため、これらの問題を軽減することができる。
【００４９】
また、第１の実施例に係るカード発行装置１００によれば、カード更新処理をおこなう装置に、印刷内容の残像ｒｉの発生を抑制するための手段を備えていなくても印刷内容の残像ｒｉの発生を良好に抑制することができる。具体的には、従来から、印刷内容の残像ｒｉの発生を抑制するため、カード更新処理をおこなう装置に、印刷内容を消去する直前に発色処理をおこなう機能や、印刷内容の消去が必要な部分に特殊記号を印刷する機能を備えたものが知られている。しかし、本発明に係るカード発行装置１００を用いてカード４００を発行すれば、カードの更新時に、印刷内容の残像ｒｉの発生を抑制するための特別な機能を備えていないカード更新処理装置を用いても、残像ｒｉの発生を良好に抑制することができる。
【００５０】
第１の実施例に係るカード発行装置１００によれば、消色用ヘッド部１５２により消色処理された印刷領域ｐａに印刷をおこなうための印刷用ヘッド部１６１を備えているため、全体に発色跡ｃｔが形成された印刷領域ｐａに印刷内容を印刷したカードを発行することができる。これにより、後のカード更新処理において印刷内容の残像の発生を良好に抑制することができる。
【００５１】
Ｂ．第２の実施例：
Ｂ１．全体構成：
図１４は、第２の実施例に係るカード発行装置の内部構成を例示した説明図である。第２の実施例では、印刷領域ｐａの全体に対して発色処理と消色処理のみをおこなうカード発行装置１００について説明する。第２の実施例に係るカード発行装置１００は、カード排出部１２０と、格納部１３０と、搬送部１４０と、発色用ヘッド部１５１と、消色用ヘッド部１５２と、制御部１７０と、回線接続部１８０と、を備えている。第２の実施例に係るカード発行装置１００は、第１の実施例と比較して、カード挿入部１１０と、印刷用ヘッド部１６１と、消去用ヘッド部１６２と、カード情報処理部１６３と、を備えていない部分で異なる。
【００５２】
Ｂ２．カード新規発行処理
図１５は、第２の実施例に係るカード新規発行処理を説明するためのフローチャートである。第１の実施例に係るカード新規発行処理と比べると、ステップＳ１５０〜ステップＳ１８０を備えていない点で異なる。すなわち、第２の実施例に係るカード新規発行処理は、制御部１７０により、新規カード４００ｎが発色用ヘッド部１５１の下方へ搬送され（ステップＳ１１０）、発色用ヘッド部１５１により印刷領域ｐａの全体の発色処理がおこなわれる（ステップＳ１２０）。その後、制御部１７０により、カード４００を消色用ヘッド部１５２の下方に搬送され（ステップＳ１３０）、消色用ヘッド部１５２により印刷領域ｐａの全体の消色処理がおこなわれる（ステップＳ１４０）。そして、消色処理がおこなわれたカード４００をカード排出部１２０から排出する（ステップＳ１９０）。
【００５３】
以上、第２の実施例に係るカード発行装置１００によれば、カード挿入部１１０と、印刷用ヘッド部１６１と、消去用ヘッド部１６２と、カード情報処理部１６３と、を備えていなくても、カード４００の印刷領域ｐａの全体について発色処理と消色処理とをおこなうことで、印刷内容の残像ｒｉの発生を抑制することができるカード４００を発行することができる。
【００５４】
Ｃ．変形例：
なお、この発明は上記の実施例や実施形態に限られるものではなく、その要旨を逸脱しない範囲において種々の態様において実施することが可能であり、例えば次のような変形も可能である。
【００５５】
Ｃ１．変形例１：
本実施例では、カード発行装置１００は、発色用ヘッド部１５１と消色用ヘッド部１５２とをそれぞれ備えているが、例えば、いずれか一方のヘッド部が発色処理と消色処理とをおこなうことができる場合には、１つのヘッド部により構成されていてもよい。この場合であっても、１つのヘッド部により発色処理と消色処理とをおこなうことにより、印刷内容の残像ｒｉの発生を抑制することができるカードを発行することができる。
【００５６】
また、印刷用ヘッド部１６１と消去用ヘッド部１６２についても同様に、印刷内容の消去と印刷をおこなうことができる場合には、１つのヘッド部により構成することができる。また、発色用ヘッド部１５１と印刷用ヘッド部１６１とが同一のヘッド部により構成されていてもよいし、消色用ヘッド部１５２と消去用ヘッド部１６２とが同一のヘッド部に構成されていてもよい。
【００５７】
Ｃ２．変形例２：
本実施例では、カード情報処理部１６３によるカード情報の読み取りと書き込みは、消色処理の後に実施されているが、カード情報の読み取りと書き込みのタイミングについてはこれに限定されず、任意の時期に実施される態様としてもよい。
【００５８】
Ｃ３．変形例３：
本実施例では、カード新規発行処理において用いられる新規カード４００ｎは、格納部１３０に格納されているが、これに限らず、カード挿入部１１０から挿入された新規カード４００ｎに対してカード新規発行処理を実施してもよい。この場合、カード発行装置１００は、格納部１３０を備えていなくても良い。
【００５９】
Ｃ４．変形例４：
本実施例では、図２に示すように、搬送部１４０上の格納部１３０側から順に、発色用ヘッド部１５１、消色用ヘッド部１５２、印刷用ヘッド部１６１、消去用ヘッド部１６２、カード情報処理部１６３と並んでいるが、これらの配置はこれに限定されず、これ以外であってもよい。
【００６０】
Ｃ５．変形例５：
第１の実施例では、カード発行装置１００は、カード挿入部１１０を備えているが、第２の実施例と同様に、カード挿入部１１０を備えていない態様であってもよい。
【００６１】
Ｃ６．変形例６：
本実施例では、カード発行装置１００は、専用回線３００を介してコンピュータ２００に接続されているが、コンピュータ２００と接続しない装置としても実現可能である。カード発行装置１００自体にユーザインターフェイスを備えることにより、例えば、自動券売機や自動定期券発行機などの窓口端末等として実現することができる。また、本実施例では、カード発行装置１００は制御部１７０を備えているが、制御部１７０を備えない態様でも実現することができる。
【００６２】
図１６は、本発明に係る自動券売機の外観を例示した説明である。自動券売機５００は、カード発行装置１００に表示部５１０と、操作部５２０と、硬貨取扱部５３０と、紙幣取扱部５４０と、カード排出部５５０と、を備えている。自動券売機５００は、硬貨取扱部５３０もしくは紙幣取扱部５４０を介してユーザから硬貨もしくは紙幣を取得し、操作部５２０を介してユーザからの入力を受け付けると、本発明に係るカード新規発行処理をおこないカード４００を発行する。この場合、自動券売機５００により、印刷内容の残像ｒｉの発生を抑制することができるカード４００を発行することができる
【００６３】
Ｃ７．変形例７：
本実施例では、図３（ａ）に示すように、カード４００の印刷領域ｐａは、カード４００の上面に１つ形成されているが、これに限定されず、例えば、印刷をおこなう箇所ごとに印刷領域ｐａが複数存在してもよい。また、図３（ｂ）に示すように、カード４００は、基板４１０と、ロイコ層４２０と、保護層４３０とにより形成されているが、例えば、基板４１０とロイコ層４２０との間に遮蔽層を備える等、これ以外の断面構成を備えていてもよい。
【００６４】
Ｃ８．変形例８：
本実施例では、カード新規発行処理は、新規カード４００ｎを用いて実施されているが、新規カード４００ｎではなくても、例えば、一回のみ発行されたカード４００であれば、残像ｒｉは発生しておらず、その後に、本発明に係るカード新規発行処理を実行すれば、印刷内容の残像ｒｉの発生を良好に抑制することができる。
【００６５】
なお、本発明は、種々の態様で実現することが可能であり、例えば、カード発行方法、カード製造方法および装置、として実現することができる。また、これらの方法または装置の機能を実現するためのコンピュータープログラム、そのコンピュータープログラムを記録した記録媒体、そのコンピュータープログラムを含み搬送波内に具現化されたデータ信号、等の態様で実現することができる。
【符号の説明】
【００６６】
１０…カード発行システム
１００…カード発行装置
１１０…カード挿入部
１２０…カード排出部
１３０…格納部
１４０…搬送部
１５１…発色用ヘッド部
１５２…消色用ヘッド部
１６１…印刷用ヘッド部
１６２…消去用ヘッド部
１６３…カード情報処理部
１７０…制御部
１８０…回線接続部
２００…コンピュータ
３００…専用回線
４００…カード
４１０…基板
４２０…ロイコ層
４３０…保護層
５００…自動券売機
５１０…表示部
５２０…操作部
５３０…硬貨取扱部
５４０…紙幣取扱部
５５０…カード排出部
【図１】
2010191918.tif 000003
【図２】
2010191918.tif 000004
【図３】
2010191918.tif 000005
【図４】
2010191918.tif 000006
【図５】
2010191918.tif 000007
【図６】
2010191918.tif 000008
【図７】
2010191918.tif 000009
【図８】
2010191918.tif 000010
【図９】
2010191918.tif 000011
【図１０】
2010191918.tif 000012
【図１１】
2010191918.tif 000013
【図１２】
2010191918.tif 000014
【図１３】
2010191918.tif 000015
【図１４】
2010191918.tif 000016
【図１５】
2010191918.tif 000017
【図１６】
2010191918.tif 000018